(57)【要約】【課題】採取した液体を吐出する際に液体が残留してしまうことが抑制できる簡素な構成のピペットを提供する。【解決手段】ピペット１は、液体を吸入および吐出するための第１開口部１２ａが前端に設けられたバレル１０と、バレル１０の後端側からバレル１０に挿入されるとともに、バレル１０の内部を摺動可能なプランジャ２０とを備える。バレル１０は、プランジャ２０をバレル１０の後端側に向けて付勢する弾性力を発現可能な付勢部１５を有する。プランジャ２０の前端は、付勢部１５によってプランジャ２０が付勢されることなくプランジャ２０がバレル１０の前端側に最も近い位置に配置された状態において、第１開口部１２ａよりもバレル１０の後端側に位置し、付勢部１５の弾性力に抗してプランジャ２０がバレル１０の前端側に向けて押し込まれることにより、バレル１０の第１開口部１２ａ側に向けて移動可能である。【選択図】図３
2018051476.tif 000002
【特許請求の範囲】
【請求項１】
液体を吸入および吐出するための第１開口部が前端に設けられるとともに、後端に第２開口部が設けられた筒状のバレルと、
前記バレルの後端側から前記第２開口部を介して前記バレルの内部にその一部が挿入されるとともに、前記バレルの内部を摺動可能となるように前記バレルによって保持された棒状のプランジャとを備え、
前記バレルおよび前記プランジャの少なくとも一方が、前記プランジャを前記バレルの後端側に向けて付勢する弾性力を発現可能な付勢部を有し、
前記付勢部によって前記プランジャが付勢されることなく前記プランジャが前記バレルの前端側に最も近い位置に配置された状態において、前記プランジャの前端が、前記第１開口部よりも前記バレルの後端側に位置し、
前記付勢部の弾性力に抗して前記プランジャが前記バレルの前端側に向けて押し込まれることにより、前記プランジャの前端が、前記バレルの前記第１開口部側に向けて移動可能である、ピペット。
【請求項２】
前記プランジャが、その周面から外側に向けて張り出した張り出し部を有し、
前記付勢部が、当該付勢部によって前記プランジャが付勢されることなく前記プランジャが前記バレルの前端側に最も近い位置に配置された状態において前記張り出し部の前端にその後端が当接するように、前記バレルの後端から前記バレルの軸方向に沿って突設された舌片状の板バネ部からなり、
前記プランジャが前記バレルの前端側に向けて押し込まれることにより、前記張り出し部が前記板バネ部を外側に向けて押し広げ、これにより前記板バネ部において弾性力が発現するように構成されている、請求項１に記載のピペット。
【請求項３】
前記張り出し部が、前記プランジャの後端側に向かうにつれて外側に広がる傾斜形状を有している、請求項２に記載のピペット。
【請求項４】
前記板バネ部が、単一の部材として形成された前記バレルの一部にて構成されており、
前記張り出し部が、単一の部材として形成された前記プランジャの一部にて構成されている、請求項２または３に記載のピペット。
【請求項５】
前記プランジャの前記バレルの後端側に向けての移動を制限するストッパ部をさらに備えている、請求項１から４のいずれかに記載のピペット。
【発明の詳細な説明】
【技術分野】
【０００１】
本発明は、バレルおよびプランジャを備えたピペットに関し、特に、定量採取型のピペットに関する。
【背景技術】
【０００２】
バレルおよびプランジャを備えたピペットにおいては、吸入した液体を吐出するに際し、液体の表面張力により、ピペットの前端部に設けられた吐出のための開口部近傍に液体が残留してしまう場合がある。特に、採取容量が小さいピペットにおいては、開口部の大きさも必然的に小さいため、上記問題が顕著になる。また、定量採取型のピペットにおいては、吸入した液体の全量を確実に外部に吐出する必要があり、上記問題の解決が求められている。
【０００３】
この問題の解決が図られた定量採取型のピペットが開示された文献としては、たとえば特開２０１０−５１９４４号公報（特許文献１）がある。
【０００４】
当該特許文献１に開示されたピペットは、バレル（シリンダ）およびプランジャ（ピストン）を備え、プランジャの前端部が小径に構成されるとともにプランジャの後端部が大径に構成され、さらにバレルの所定位置に弁体（孔部が設けられたＯリング状の部材）が配置され、当該弁体を挿通するようにプランジャの小径の前端部が弁体に設けられた孔部に挿入されてなるものである。
【０００５】
当該構成のピペットにおいては、吸入した液体を吐出するに際し、プランジャの小径の前端部が弁体に設けられた孔部を介してバレルの前端側に向けて移動することで液体の吐出が行なわれる。その後、プランジャの大径の後端部が弁体を押し込むことにより、ピペットの内部に形成される空間の容積変化が大きくなり、これによってピペットに残留する液体の吐出が行なわれる。そのため、ピペットに液体が残留してしまうことが抑制できることになり、結果として吸入した液体の全量が外部に吐出可能になる。
【先行技術文献】
【特許文献】
【０００６】
【特許文献１】特開２０１０−５１９４４号公報
【発明の概要】
【発明が解決しようとする課題】
【０００７】
しかしながら、上記特許文献１に開示のピペットは、バレルおよびプランジャに加え、上述した弁体、さらには当該弁体に宛がわれるワッシャおよび当該弁体を付勢するコイルバネ等、多くの部品を必要とし、さらには非常に複雑な組付構造を有するものであり、製造コストが大幅に増大してしまう問題を有している。
【０００８】
したがって、本発明は、上述した問題を解決すべくなされたものであり、吸入した液体を吐出する際に液体が残留してしまうことが抑制できる簡素な構成のピペットを提供することを目的とする。
【課題を解決するための手段】
【０００９】
本発明に基づくピペットは、バレルと、プランジャとを備えている。上記バレルは、液体を吸入および吐出するための第１開口部が前端に設けられるとともに、後端に第２開口部が設けられた筒状の部材からなる。上記プランジャは、上記バレルの後端側から上記第２開口部を介して上記バレルの内部にその一部が挿入されるとともに、上記バレルの内部を摺動可能となるように上記バレルによって保持された棒状の部材からなる。上記バレルおよび上記プランジャの少なくとも一方は、上記プランジャを上記バレルの後端側に向けて付勢する弾性力を発現可能な付勢部を有している。上記プランジャの前端は、上記付勢部によって上記プランジャが付勢されることなく上記プランジャが上記バレルの前端側に最も近い位置に配置された状態において、上記第１開口部よりも上記バレルの後端側に位置している。上記プランジャの前端は、上記付勢部の弾性力に抗して上記プランジャが上記バレルの前端側に向けて押し込まれることにより、上記バレルの上記第１開口部側に向けて移動可能である。
【００１０】
上記本発明に基づくピペットにあっては、上記プランジャが、その周面から外側に向けて張り出した張り出し部を有していることが好ましく、また、上記付勢部が、当該付勢部によって上記プランジャが付勢されることなく上記プランジャが上記バレルの前端側に最も近い位置に配置された状態において上記張り出し部の前端にその後端が当接するように、上記バレルの後端から上記バレルの軸方向に沿って突設された舌片状の板バネ部からなることが好ましい。その場合には、上記プランジャが上記バレルの前端側に向けて押し込まれることにより、上記張り出し部が上記板バネ部を外側に向けて押し広げ、これにより上記板バネ部において弾性力が発現することになる。
【００１１】
上記本発明に基づくピペットにあっては、上記張り出し部が、上記プランジャの後端側に向かうにつれて外側に広がる傾斜形状を有していることが好ましい。
【００１２】
上記本発明に基づくピペットにあっては、上記板バネ部が、単一の部材として形成された上記バレルの一部にて構成されていることが好ましく、また、上記張り出し部が、単一の部材として形成された上記プランジャの一部にて構成されていることが好ましい。
【００１３】
上記本発明に基づくピペットは、上記プランジャの上記バレルの後端側に向けての移動を制限するストッパ部をさらに備えていてもよい。
【発明の効果】
【００１４】
本発明によれば、吸入した液体を吐出する際に液体が残留してしまうことが抑制できる簡素な構成のピペットとすることができる。
【図面の簡単な説明】
【００１５】
【図１】本発明の実施の形態におけるピペットの斜視図である。
【図２】図１に示すピペットの分解斜視図である。
【図３】図１に示すピペットの使用時における状態を時系列で示した図である。
【図４】図１に示すピペットの吐出動作の第１段階が完了した状態および吐出動作の第２段階が完了した状態を示す板バネ部近傍の拡大図である。
【図５】図１に示すピペットの吐出動作の第１段階が完了した状態および吐出動作の第２段階が完了した状態を示すノズル部近傍の拡大図である。
【発明を実施するための形態】
【００１６】
以下、本発明の実施の形態について、図を参照して詳細に説明する。以下に示す実施の形態は、本発明を定量採取型のピペットに適用した場合を例示するものであるが、本発明の適用対象はこれに限定されず、他の種類のピペットにも当然に適用が可能である。なお、以下に示す実施の形態においては、同一のまたは共通する部分について図中同一の符号を付し、その説明は繰り返さない。
【００１７】
図１は、本発明の実施の形態におけるピペットの斜視図であり、図２は、図１に示すピペットの分解斜視図である。まず、これら図１および図２を参照して、本実施の形態におけるピペット１の構成について説明する。
【００１８】
図１および図２に示すように、ピペット１は、バレル１０とプランジャ２０とを備えている。プランジャ２０は、バレル１０の内部を摺動可能となるようにバレル１０によって保持されている。バレル１０は、ピペット１の内部が視認可能となるように透明の樹脂部材にて構成されており、プランジャ２０は、非透明の樹脂部材にて構成されている。
【００１９】
バレル１０は、全体として長尺筒状の部材からなり、概ね角筒状の本体部１１と、円筒状のノズル部１２とを有している。本体部１１は、バレル１０の後端側に位置しており、ノズル部１２は、当該本体部１１から連続して延びるようにバレル１０の前端側に位置している。
【００２０】
バレル１０の前端であるノズル部１２の先端には、第１開口部１２ａが設けられている。第１開口部１２ａは、液体を吸入および吐出するための孔である。
【００２１】
バレル１０の後端である本体部１１の末端には、第２開口部１４が設けられている。第２開口部１４は、プランジャ２０が挿通する部分であり、プランジャ２０は、当該第２開口部１４を介してその一部がバレル１０の内部に挿入されている。
【００２２】
バレル１０の前端に設けられた第１開口部１２ａと、バレル１０の後端に設けられた第２開口部１４とは、当該バレル１０にプランジャ２０が組付けられていない状態において、バレル１０の内部に形成された空間を介して連通している。当該空間は、プランジャ２０が摺動するための空間を含むとともに、ピペット１の使用時において液体が保持される空間を含んでいる。
【００２３】
バレル１０の本体部１１の内周面の所定位置には、内側に向けて突出するとともにバレル１０の軸方向と直交する方向に延びる突条部１１ａが設けられている。当該突条部１１ａは、後述するプランジャ２０の突条部２１ａと共に、プランジャ２０のバレル１０の後端側に向けての移動を制限するストッパ部を構成する。
【００２４】
バレル１０の本体部１１の左右の外周面には、複数の指掛け部１３が設けられている。当該複数の指掛け部１３は、ピペット１を操作する場合に手指が掛けられる部位である。
【００２５】
また、バレル１０の後端には、バレル１０の軸方向沿って後方に向けて突出する一対の舌片状の板バネ部１５が設けられている。一対の板バネ部１５は、第２開口部１４を挟んで対向するようにバレル１０の後端の左右に設けられている。この一対の板バネ部１５は、プランジャ２０を後端側に向けて付勢する弾性力を発現可能な付勢部に該当する。
【００２６】
上述した本体部１１、ノズル部１２、指掛け部１３および一対の板バネ部１５等は、いずれも単一の部材として形成されたバレル１０の一部にて構成されており、バレル１０は、好ましくは透明の樹脂材料を用いて製作された射出成形品にて構成される。
【００２７】
プランジャ２０は、全体として長尺棒状の部材からなり、概ね角柱状の本体部２１と、概ね角柱状のロッド部２２とを有している。本体部２１は、プランジャ２０の後端側に位置しており、ロッド部２２は、当該本体部２１から連続して延びるように、プランジャ２０の前端側に位置している。
【００２８】
プランジャ２０は、上述したようにバレル１０の第２開口部１４を介してその一部がバレル１０の内部に挿入されている。これにより、プランジャ２０の本体部２１の前端寄りの部分は、バレル１０の本体部１１に収容されており、プランジャ２０の本体部２１の後端寄りの部分は、バレル１０の外部に位置している。また、プランジャ２０のロッド部２２は、バレル１０のノズル部１２および当該ノズル部１２に隣接する部分の本体部１１に跨って収容されている。
【００２９】
プランジャ２０の本体部２１の周面の所定位置には、外側に向けて突出するとともにプランジャ２０の軸方向と直交する方向に延びる突条部２１ａが設けられている。当該突条部２１ａは、前述したバレル１０の突条部１１ａと共に、プランジャ２０のバレル１０の後端側に向けての移動を制限するストッパ部を構成する。プランジャ２０の突条部２１ａは、バレル１０の突条部１１ａよりもバレル１０の前端側に位置している。
【００３０】
プランジャ２０の前端であるロッド部２２の先端には、外側に向けて突出する環状のシール部２２ａが設けられている。当該シール部２２ａは、バレル１０のノズル部１２の内周面に圧接しており、これにより吸入した液体が当該シール部２２ａよりもバレル１０の後端側に向けて漏れ出すことが防止される。
【００３１】
プランジャ２０の本体部２１の末端には、環状の指掛け部２３が設けられている。当該指掛け部２３は、ピペット１を操作する場合に手指が掛けられる部位である。
【００３２】
また、プランジャ２０の本体部２１の末端寄りの部分であって指掛け部２３に隣接する部分の本体部２１には、当該本体部２１の周面から外側に向けて張り出した一対の張り出し部２５が設けられている。一対の張り出し部２５は、本体部２１を挟んで左右に設けられており、その各々は、プランジャ２０の後端側に向かうにつれて外側に広がる傾斜形状を有している。この一対の張り出し部２５は、バレル１０の一対の板バネ部１５に係合する部位である。
【００３３】
上述した本体部２１、ロッド部２２、指掛け部２３および一対の張り出し部２５等は、いずれも単一の部材として形成されたプランジャ２０の一部にて構成されており、プランジャ２０は、好ましくは樹脂材料を用いて製作された射出成形品にて構成される。
【００３４】
ここで、本実施の形態におけるピペット１においては、プランジャ２０がバレル１０に対して所定量だけ押し込まれた状態において、プランジャ２０の一対の張り出し部２５の前端が、バレル１０の一対の板バネ部１５の後端に当接するように構成されているとともに、これら一対の張り出し部２５の前端と一対の板バネ部１５の後端とが当接した状態から、さらにプランジャ２０がバレル１０の前端側に向けて押し込まれた場合に、プランジャ２０の前端がバレル１０の第１開口部１２ａ側に向けて移動するとともに、一対の張り出し部２５が一対の板バネ部１５を外側に向けて押し広げるように構成されている。
【００３５】
これにより、一対の張り出し部によって一対の板バネ部１５が押し広げられた状態においては、一対の板バネ部１５の弾性変形に伴って当該一対の板バネ部１５に弾性力が発現することになり、この弾性力によってプランジャ２０がバレル１０の後端側に向けて付勢されることになる。
【００３６】
なお、プランジャ２０の押し込みは、その指掛け部２３がバレル１０の一対の板バネ部１５の後端に当接することによって停止され、それ以上の押し込みは、これによって制限されることになる。
【００３７】
本実施の形態におけるピペット１は、吸入した液体を吐出する吐出動作として、第１段階および第２段階の２つの段階を有するものである。ここで、吐出動作の第１段階は、通常の吐出動作であり、これによって吸入した液体の全量または大部分がピペット１から排出されることになる。一方、吐出動作の第２段階は、ピペット１に液体が残留している場合に行なうべき吐出動作であり、通常の吐出動作である吐出動作の上記第１段階が完了した後に、状況に応じて付加的に行なわれるものである。
【００３８】
ここで、上述したように、本実施の形態におけるピペット１は、いわゆる定量採取型のピペットである。そのため、当該ピペット１においては、バレル１０に対するプランジャ２０の摺動に制限が加えられている。
【００３９】
具体的には、本実施の形態におけるピペット１においては、プランジャ２０の特徴的な配置位置として、液体を吸入するに先立って配置されるべき位置でありかつ吸入した液体の吐出を行なう通常の吐出動作である上記吐出動作の第１段階が完了する位置である基準位置と、液体の吸入が完了する位置である引き出し限界位置とが設けられている。
【００４０】
また、本実施の形態におけるピペット１においては、プランジャ２０の特徴的な配置位置として、ピペット１に残留する可能性のある液体を確実に吐出させる付加的な吐出動作である上記吐出動作の第２段階が完了する位置である押し込み限界位置がさらに付加的に設けられている。
【００４１】
図３は、図１に示すピペットの使用時における状態を時系列で示した図である。また、図４は、図１に示すピペットの吐出動作の第１段階が完了した状態および吐出動作の第２段階が完了した状態を示す板バネ部近傍の拡大図であり、図５は、図１に示すピペットの吐出動作の第１段階が完了した状態および吐出動作の第２段階が完了した状態を示すノズル部近傍の拡大図である。次に、これら図３ないし図５を参照して、本実施の形態におけるピペット１の使用方法ならびに使用時における状態について説明する。なお、図３および図５においては、上述した基準位置を示すために、当該基準位置にプランジャ２０が配置された場合におけるプランジャ２０の前端の位置に基準線ＳＬを引いている。
【００４２】
まず、図３（Ａ）に示すように、プランジャ２０が予め定められた基準位置に配置されるとともに、バレル１０の前端が採取すべき液体３０に浸される。これにより、バレル１０の前端に設けられた第１開口部１２ａが液体３０中に位置することになり、液体３０の吸入が可能な状態となる。
【００４３】
ここで、上記基準位置は、バレル１０の一対の板バネ部１５によってプランジャ２０が付勢されることなくプランジャ２０がバレル１０の前端側に最も近い位置に配置された状態における位置であり、具体的には、一対の張り出し部２５の前端と一対の板バネ部１５の後端とが当接する位置である。なお、当該基準位置にプランジャ２０が配置された状態においては、プランジャ２０の前端が、バレル１０の第１開口部１２ａよりも所定距離だけバレル１０の後端側に位置している。
【００４４】
次に、図３（Ｂ）に示すように、プランジャ２０がバレル１０に対して図中矢印ＤＲ１方向に向けて引き出されることにより、プランジャ２０が予め定められた引き出し限界位置に配置される。これにより、ピペット１の内部の空間のうち、第１開口部１２ａを介して外部に連通する空間の容積が増大することでノズル部１２の内部に陰圧が発生し、これに伴って液体３０がノズル部１２の内部に吸入されることになる。
【００４５】
ここで、上記引き出し限界位置は、ストッパ部としてのバレル１０の突条部１１ａとプランジャ２０の突条部２１ａとが当接する位置であり、これら突条部１１ａ，２１ａが当接することにより、プランジャ２０のそれ以上の引き出しは行なえないことになる。
【００４６】
以上により、ピペット１の内部には、プランジャ２０の引き出し量（すなわち、図３（Ｂ）中に示す距離Ｌ１に相当）に応じただけの体積の液体３０が吸入されることになる。
【００４７】
次に、図３（Ｃ）に示すように、プランジャ２０の前端が液体３０から取り出され、プランジャ２０がバレル１０に対して図中矢印ＤＲ２方向に向けて押し込まれることにより、プランジャ２０が上記基準位置に配置される。これにより、ピペット１の内部の空間のうち、第１開口部１２ａを介して外部に連通する空間の容積が減少することでノズル部１２の内部に陽圧が発生し、これに伴って液体３０がノズル部１２の外部に吐出されることになる。
【００４８】
このプランジャ２０を引き出し限界位置から基準位置に移動させる動作が、上述した吐出動作の第１段階に該当する。すなわち、吐出動作の第１段階は、液体３０の吸入が完了した後に、一対の張り出し部２５の前端と一対の板バネ部１５の後端とが当接する位置にまでプランジャ２０を押し込む動作に相当することになる。
【００４９】
これにより、通常であれば、吸入された液体３０の全量が排出されることになるが、図３（Ｃ）に示すように、液体３０の表面張力により、ピペット１の前端に位置する第１開口部１２ａ近傍に液体３０が一部残留してしまう場合がある。本実施の形態におけるピペット１においては、このピペット１に残留した液体を後述する吐出動作の第２段階において確実に排出することができる。なお、液体３０の一部がピペット１に残留しているか否かは、バレル１０が透明であるために目視で確認することができる。
【００５０】
図３（Ｄ）に示すように、上述した吐出動作の第１段階が完了した時点において、ピペット１の前端に位置する第１開口部１２ａ近傍に液体３０が一部残留してしまった場合には、プランジャ２０がバレル１０に対して図中矢印ＤＲ２方向に向けてさらに押し込まれることにより、プランジャ２０が予め定められた押し込み限界位置に配置される。
【００５１】
このとき、図４（Ａ）に示すように、プランジャ２０の一対の張り出し部２５の前端がバレル１０の一対の板バネ部１５の後端に当接した状態から、一対の板バネ部１５の弾性力に抗して図中に示す矢印ＤＲ２方向に向けてプランジャ２０がさらに押し込まれることにより、図４（Ｂ）に示すように、一対の板バネ部１５が一対の張り出し部２５によって図中矢印ＤＲ３方向に向けて外側に押し広げられる。
【００５２】
なお、その際、一対の張り出し部２５は、上述したようにプランジャ２０の後端側に向かうにつれて外側に広がる傾斜形状を有しているため、プランジャ２０を押し込む作業はある程度の力を必要とするものの、比較的スムーズに行なうことができる。
【００５３】
また、上記に伴い、図５（Ａ）に示すように、プランジャ２０が基準位置に配置されることにより、図中に示す基準線ＳＬ上に位置していたプランジャ２０の前端であるロッド部２２の先端は、図中に示す矢印ＤＲ２方向に向けてさらにバレル１０の第１開口部１２ａに近づくように移動することになる。
【００５４】
これにより、図５（Ｂ）に示すように、ピペット１の内部の空間のうち、第１開口部１２ａを介して外部に連通する空間の容積がさらに減少することでノズル部１２の内部の空気が押し遣られ、これに伴って図４中において矢印ＡＲにて示すように、当該容積に対応した量の空気が第１開口部１２ａを介して外部に吹き出されることになる。ここで、吹き出される空気の体積は、プランジャ２０の押し込み量（すなわち、図３（Ｄ）および図５（Ｂ）中に示す距離Ｌ２に相当）に応じただけの体積となる。したがって、ピペット１に残留した液体３０が、当該空気の流れに乗ってノズル部１２の外部に向けて吐出されることになる。
【００５５】
このプランジャ２０を基準位置から押し込み限界位置に移動させる動作が、上述した吐出動作の第２段階に該当する。すなわち、吐出動作の第２段階は、液体３０の通常の吐出動作である上述した吐出動作の第１段階が完了した後に、一対の板バネ部１５による弾性力に抗してプランジャ２０をさらに押し込む動作に該当することになる。
【００５６】
なお、ピペット１に残留した液体３０の排出が完了した後には、プランジャ２０のバレル１０の前端側に向けての押し込みが解除されることにより、上述した弾性力によってプランジャ２０がバレル１０の後端側に向けて移動し、上述した基準位置へと復帰する。
【００５７】
ここで、本実施の形態におけるピペット１は、定量採取型のピペットであるため、これを用いて液体３０を正確に定量採取するためには、上述した一連の動作の中で、液体３０の吸入時において（図３（Ａ）に示した状態において）、プランジャ２０が上述した基準位置に確実に配置されていることが必要になる。
【００５８】
そのため、本実施の形態におけるピペット１においては、当該基準位置にプランジャ２０が確実に配置できることとなるように、上述した一対の板バネ部１５の形状と一対の張り出し部２５の形状とに工夫が施されている。
【００５９】
具体的には、図４（Ａ）に示すように、一対の張り出し部２５の各々は、上述したようにプランジャ２０の後端側に向かうにつれて外側に広がる傾斜形状を有しているが、当該一対の張り出し部２５の各々の前端部には、他の部分よりもさらに起立した傾斜形状の突き当たり面が形成されており、また、一対の板バネ部１５の各々の後端部の内側部分にも、上記突き当たり面に対応した形状の面取り部が形成されている。
【００６０】
このように構成することにより、上記突き当たり面と上記面取り部とがバレル１０の軸方向から僅かに傾斜した方向に沿って正対するように当接することでプランジャ２０が基準位置に配置された状態が相当程度に維持できることになり、当該基準位置にあるプランジャ２０をさらにバレル１０の前端側に向けて押し込むためには、これら突き当たり面と面取り部との当接の解除に要する十分に大きな押し込み力をもってプランジャ２０を押し込むことが必要になる。
【００６１】
したがって、プランジャ２０をバレル１０に対して押し込む際に、意識的に強い力をもってプランジャ２０が押し込まれない限りは、プランジャ２０が基準位置に配置された状態を実現できることになり、液体３０の正確な定量採取が可能になる。
【００６２】
以上において説明した本実施の形態におけるピペット１とすることにより、吸入した液体３０を吐出する際に、液体３０がピペット１の内部に一部残留してしまうことが抑制できることになる。すなわち、必要に応じて上述した吐出動作の第２段階を実施することにより、確実に液体３０の全量を外部に排出することができる。
【００６３】
一方で、本実施の形態におけるピペット１は、一般的なピペットにおいて、バレル１０に上述した一対の板バネ部１５を追加して設けるとともに、プランジャ２０に上述した一対の張り出し部２５を追加して設けることのみにより、ピペット１の内部に残留した液体３０を排出する上述した吐出動作の第２段階を実施可能にできるものである。さらには、上記のように、これら一対の板バネ部１５および一対の張り出し部２５は、それぞれバレル１０およびプランジャ２０に一体に設けることもできる。
【００６４】
そのため、本実施の形態におけるピペットとすることにより、部品点数を増加させることなく非常に簡素な構成で液体３０がピペット１の内部に残留してしまうことが抑制できることになり、製造コストの増大を抑制することができる。
【００６５】
したがって、以上において説明した本実施の形態におけるピペット１の如くの構成を採用することにより、吸入した液体を吐出する際に液体が残留してしまうことが抑制できる簡素な構成のピペットとすることができる。
【００６６】
上述した本発明の実施の形態においては、付勢部としての一対の板バネ部をバレルの末端に設けるとともに、当該付勢部に係合する部位である一対の張り出し部をプランジャの末端に設けた場合を例示して説明を行なったが、これら付勢部および当該付勢部に係合する部位は、必ずしも上述した如くの位置に設ける必要はなく、これらを他の位置に設けることも当然に可能である。たとえば、付勢部をバレルの内部に設けるとともに、当該付勢部に係合する部位をバレルに挿入される部分のプランジャに設けることとしてもよい。
【００６７】
また、上述した本発明の実施の形態においては、付勢部としての板バネ部を一対設けるとともに、当該付勢部に係合する部位である張り出し部を一対設けるように構成した場合を例示して説明を行なったが、これらの数は適宜変更が可能である。
【００６８】
また、上述した本発明の実施の形態においては、プランジャが基準位置に確実に配置されることとなるように、付勢部に係合する部位である一対の張り出し部の前端部に起立した傾斜形状の突き当たり面を形成するとともに、付勢部としての一対の板バネ部の後端の内側部分に当該突き当たり面に対応した形状の面取り部を形成した場合を例示して説明を行なったが、他の形状の部分をこれら付勢部および当該付勢部に係合する部位に設けることにより、プランジャが基準位置に確実に配置されるように構成することも当然に可能である。
【００６９】
また、上述した本発明の実施の形態においては、付勢部としての一対の板バネ部を単一の部材として形成されたバレルの一部によって構成するとともに、当該付勢部に係合する部位である一対の張り出し部を単一の部材として形成されたプランジャの一部にて構成した場合を例示して説明を行なったが、これら付勢部および当該付勢部に係合する部位を別部品にて構成することも当然に可能である。その場合には、部品点数が増加することにはなるものの、必要以上に組付構造が複雑化しないように構成することにより、製造コストの増大を抑制することはできる。
【００７０】
さらには、上述した本発明の実施の形態においては、付勢部をバレルに設けるとともに、当該付勢部に係合する部位をプランジャに設ける構成とした場合を例示して説明を行なったが、付勢部をプランジャに設けるとともに、当該付勢部に係合する部位をバレルに設ける構成としてもよいし、バレルおよびプランジャの双方にそれぞれ付勢部および上記部位を設ける構成としてもよい。
【００７１】
このように、今回開示した上記実施の形態はすべての点で例示であって、制限的なものではない。本発明の技術的範囲は特許請求の範囲によって画定され、また特許請求の範囲の記載と均等の意味および範囲内でのすべての変更を含むものである。
【符号の説明】
【００７２】
１  ピペット、１０  バレル、１１  本体部、１１ａ  突条部、１２  ノズル部、１２ａ  第１開口部、１３  指掛け部、１４  第２開口部、１５  板バネ部、２０  プランジャ、２１  本体部、２１ａ  突条部、２２  ロッド部、２２ａ  シール部、２３  指掛け部、２５  張り出し部、３０  液体。
【図１】
2018051476.tif 000003
【図２】
2018051476.tif 000004
【図３】
2018051476.tif 000005
【図４】
2018051476.tif 000006
【図５】
2018051476.tif 000007